(57)【要約】  使用中は本質的に垂直である伸長体８に隣接する少なくとも１つの開口１１を備えたエレメント１０を吊り下げるための吊下げデバイス１が、吊下げデバイス１を伸長体８に対して軸線方向に固定するための固定手段７を有している。固定手段７は伸長体８に沿って移動可能であり、伸長体８は使用の際にエレメント１０の開口１１を通して延びるようになっている。吊下げデバイスは、伸長体に沿って移動可能であり且つ使用の際にその移動が固定手段７によって下向きに制限される第１のエレメント２と、伸長体８に沿って移動可能であり且つ使用の際に第１のエレメント２の上方に配置される第２のエレメント３と、第１のエレメント２を第２のエレメント３に接続するリンク・システム４、５とをさらに有している。リンク・システム４、５は、第１の位置で移動可能エレメント２、３が互いに隣接して配置されると伸長体８から半径方向に突出し、また第２の位置で移動可能エレメント２、３が互いに離れて配置されると伸長体８に沿って延びるようになっている。吊下げデバイス１は、第１および第２の位置において、エレメント１０の開口１１の半径より大きい半径および小さい半径をそれぞれ有している。
2007501497.tif 000002
【特許請求の範囲】
【請求項１】
使用中は本質的に垂直である伸長体（８）に隣接する少なくとも１つの開口（１１）を備えたエレメント（１０）を吊り下げるための吊下げデバイス（１）であって、該デバイス（１）は、前記吊下げデバイス（１）を前記伸長体（８）に対して軸線方向に固定するための固定手段（７）を有し、該固定手段（７）は前記伸長体（８）に沿って移動可能であり、前記伸長体（８）は、使用中に前記エレメント（１０）の前記開口（１１）を通して延びている吊下げデバイス（１）において、
前記吊下げデバイス（１）は、前記伸長体に沿って移動可能な第１のエレメント（２）であって、使用中、その移動が前記固定手段（７）によって下向きに制限される第１のエレメント（２）と、前記伸長体（８）に沿って移動可能な第２のエレメント（３）であって、使用中、前記第１のエレメント（２）の上方に配置される第２のエレメント（３）と、前記第１のエレメント（２）を前記第２のエレメント（３）に接続するリンク・システム（４、５）とをさらに有し、
前記リンク・システム（４、５）は、前記移動可能エレメント（２、３）が互いに隣接して配置された第１の状態にある時に前記伸長体（８）から半径方向に突出するように、且つ前記移動可能エレメント（２、３）が互いに離れて配置された第２の状態にある時に前記伸長体（８）に沿って延びるように構成されており、また
前記吊下げデバイス（１）は、前記第１および第２の状態にあるとき、前記エレメント（１０）の前記開口（１１）の半径より大きい半径および小さい半径をそれぞれ有していることを特徴とする吊下げデバイス（１）。
【請求項２】
前記リンク・システム（４、５）が２本のアームを有し、一方のアーム（４）の一方の端部が前記第１のエレメント（２）に連結され、他方のアーム（５）の一方の端部が前記第２のエレメント（３）に連結され、また前記２本のアーム（４、５）が互いに連結されている請求項１に記載の吊下げデバイス（１）。
【請求項３】
前記リンク・システム（４、５）が３対のアームを有している請求項２に記載の吊下げデバイス（１）。
【請求項４】
前記第１のアーム（４）が、前記第１のエレメント（２）に連結された端部と反対側の端部（６）に弾性材料を備えている請求項２または請求項３に記載の吊下げデバイス（１）。
【請求項５】
前記固定手段（７）が前記第１のエレメント（２）内に配置されている請求項１から請求項４までのいずれか１項に記載の吊下げデバイス（１）。
【請求項６】
前記第２のエレメント（３）に把持デバイス（１２）が接続されている請求項１から請求項５までのいずれか１項に記載の吊下げデバイス（１）。
【請求項７】
前記伸長体（２）が電気ケーブルを有し、また、使用中に下側の端部となる前記伸長体（８）の端部にランプ・キャップが配置される請求項１から請求項６までのいずれか１項に記載の吊下げデバイス（１）。
【発明の詳細な説明】
【技術分野】
【０００１】
本発明は、使用の際には本質的に垂直である伸長体に隣接する少なくとも１つの開口を備えたエレメントを吊り下げるための吊下げデバイスに関するものである。この吊下げデバイスは、デバイスを伸長体に対して軸線方向に固定するための固定手段であって、伸長体に沿って移動させることができる固定手段を有する。伸長体は、使用の際には前記エレメントの開口を貫通して延びるようになっている。
【背景技術】
【０００２】
前置きとして言及したタイプの吊下げデバイスは、とりわけランプ・グローブを吊り下げるのに極めて一般的である。そのような吊下げデバイスは、例えば白熱電球を交換するためにランプ・グローブを吊り下げたり取り外したりする際の取り扱いが複雑であることが多い。ランプ・グローブが、使用に際して底部で閉じられる種類のランプ・グローブである場合、すなわち白熱電球からのすべての光がランプ・グローブを通して放出される種類のランプ・グローブである場合、その取り扱いは、ほとんどの場合にさらに複雑である。
【発明の開示】
【発明が解決しようとする課題】
【０００３】
したがって本発明の目的は、エレメントを吊り下げ、あるいは取り外す際の取り扱いが容易な吊下げデバイスを提供することである。
【課題を解決するための手段】
【０００４】
本発明によれば、この目的は、前置きとして言及したタイプの吊下げデバイスであって、特許請求の範囲の請求項１から明らかな構成を有する吊下げデバイスによって達成される。吊下げデバイスの好ましい実施例は、従属請求項によって定義される。
【０００５】
使用中は本質的に垂直である伸長体に隣接する少なくとも１つの開口を備えたエレメントを吊り下げるための本発明による吊下げデバイスは、この吊下げデバイスを伸長体に対して軸線方向に固定するための、伸長体に沿って移動可能な固定手段を有し、また伸長体は、使用中に前記エレメントの開口を通して延びるようになっている。吊下げデバイスは、伸長体に沿って移動可能であり且つ使用中はその移動が固定手段によって下向きに制限される第１のエレメントと、伸長体に沿って移動可能であり且つ使用中は前記第１のエレメントの上方に配置される第２のエレメントと、第１のエレメントを第２のエレメントに接続するリンク・システムであって、第１の位置で前記移動可能エレメントが互いに隣接して配置された時に伸長体から半径方向に突出し、また第２の位置で前記移動可能エレメントが互いに離れて配置された時に伸長体に沿って延びるように構成されたリンク・システムとをさらに有している。吊下げデバイスは、前記第１および第２の位置で、前記エレメントの開口の半径より大きい半径および小さい半径をそれぞれ有している。前記第２の位置における吊下げデバイスの広がりが狭いので、吊り下げるエレメントの開口を通して吊下げデバイスを挿入することができる。吊下げデバイスは、開口を通して挿入されると解放されて、前記第２のエレメントの重量のため、前記第１の位置で前記移動可能エレメントが互いに隣接するように配置される。この第１の位置は、吊り下げるエレメントの重量によってさらに保証される。したがって本発明による吊下げデバイスの利点は、必要な調整が、吊り下げるエレメントの開口のサイズを第２の位置における吊下げデバイスのサイズより大きくなるようにすることだけである点にある。
【０００６】
好ましい実施例では、リンク・システムが２本のアームを有し、一方のアームの一方の端部が前記第１のエレメントに連結され、他方のアームの一方の端部が前記第２のエレメントに連結される。また、２本のアームは互いに連結される。したがって構造が単純であり、低コストで製造することができる。
【０００７】
リンク・システムは、３対のアームを有していることが好ましい。これらのアームは伸長体の周りに都合よく一様に分配することができ、このようにして安定した吊り下げが促進され、これはまた伸長体を吊下げエレメントの開口に対して心出しすることを可能にする。もちろん、心出しのために２対のアームのみを使用することが可能であるが、２対のアームを使用する場合、吊下げエレメントが吊下げデバイスに対して傾斜する危険がある。
【０００８】
他の好ましい実施例では、第１のアームが、前記第１のエレメントに連結された方の端部とは反対側の端部に弾性材料を備えている。吊下げデバイスが金属製であり、且つまた吊下げエレメントがガラスなどの壊れ易い材料でできている場合、より軟質の材料を吊下げエレメントに接触させることが適切である。
【０００９】
また固定手段は、前記第１のエレメント内に配置されることが好ましい。第１のエレメントがスリーブ形である場合、固定手段には、例えばスリーブ壁を通して伸長体に対してねじ込まれるボルトを使用することができ、このボルトによって伸長体をスリーブの内側に押し付け、したがって前記第１のエレメントを伸長体に固定することができる。ランプの場合、ランプ・キャップに固定手段（すなわち吊り下げ手段のための下への境界）を構成することができる。ランプではない装飾物を吊り下げる場合はしたがって伸長体の端部からなるように固定手段を構成することができる。その場合、伸長体の端部は、前記第１のエレメントの内径より大きい直径を有していなければならない。
【００１０】
他の好ましい実施例では、前記第２のエレメントに把持デバイスが接続される。吊下げエレメントの開口が小さく、したがって吊下げデバイスが前記第２の位置にある場合に、把持デバイスが前記第２のエレメントに接続され、したがって吊下げエレメントの開口を通して上に向かって外へ延びていることが都合よく、これは吊下げエレメントの取り外しを可能にする。別法として、開口を通して使用者の指を中に入れて前記第２のエレメントをつかんで吊下げデバイスを前記第２の位置へ移動させるには開口が小さすぎる場合に、工具を使用することも可能である。
【００１１】
本発明の好ましい実施例では、前記伸長体は電気ケーブルを有し、また使用に際して下側の端部となる伸長体の端部にランプ・キャップが配置されている。したがって吊下げデバイスを電気ケーブルから吊り下げても、外観が損なわれることはほとんどない。シングル・エンド・ケーブル・グリップまたはチューブを電気ケーブルの周りに配置することができる。
【００１２】
以下、本発明を、添付の図を参照して実施例として、より詳細に説明する。
【実施例】
【００１３】
図示した吊下げデバイス１は、第１のエレメント２および第２のエレメント３を有している。この２つのエレメント２および３は、３対のアームを有するリンク・システムによって接続される。３対のアームは、下部アーム４および上部アーム５を有している。下部アーム４は第１のエレメント２に連結され、上部アーム５は第２のエレメント３に連結されている。また、この２つのアーム４および５は互いに連結されている。下部アーム４の自由端６は、軟質のプラスチック材料を備えている。図示した実施例では、第１のエレメント２は固定手段７を備えている（図１および図３参照）。固定手段７は、吊下げデバイス１を伸長体８に垂直方向に固定する。伸長体８は、この実施例の場合、白熱電球９に電流を供給するケーブルである。
【００１４】
図１は、２つのエレメント２および３が互いに隣接して配置された状態における吊下げデバイスを示したものであり、このことは、下部アーム４の自由端６がケーブル８から最大の距離を隔てて配置されることを意味している。これは、グローブ１０が吊下げデバイス１の広がりより小さい開口１１を有している場合に、この吊下げデバイス１がグローブ１０を吊り下げるために使用可能であることを意味する。図１では、グローブ１０は、未だ吊下げデバイス１に支えられていない。図２は、下部アーム４の自由端６がグローブ１０をどのように支えるかを示したものである。
【００１５】
図２および図４に示すようにグローブ１０が完全な底を有している場合、グローブ１０の開口１１を通して吊下げデバイス１を挿入するためには、吊下げデバイス１を十分に小さくしなければならない。図３は、２つのエレメント２および３が互いに最大に離れた状態の吊下げデバイス１を示したもので、この場合、下部アーム４の自由端６は、それぞれケーブル８から最短距離に位置している。したがってこの状態での吊下げデバイス１の広がりは最小であり、グローブ１０の開口１１を通して挿入することが可能である。図４は、吊下げデバイス１がグローブ１０内にさらに挿入された様子を示したものである。
【００１６】
図５ａおよび図５ｂは、本発明の代替実施例を示したもので、図に示す実施例では硬質スリーブである把持デバイス１２が第２のエレメント３に取り付けられる。このスリーブ１２は容易につかむことができるため、吊下げデバイス１の取り扱いを容易にする。開口が小さい場合、とりわけ吊下げデバイスが図５ｂに示す位置にある時には、第２のエレメント３をつかむことが困難であるかもしれない。スリーブ１２を取り付けることにより、吊下げデバイス１を小さい広がり状態に引っ張ること、およびグローブ１０から取り外すことが可能である。
【００１７】
上で説明した本発明の実施例の様々な修正が、特許請求の範囲に規定した本発明の範囲内で可能であることが理解されよう。例えば、上で説明したように、固定手段は、例えば、ばね荷重クランプからなっていてもよい。また把持デバイスは、例えば、取り扱いを容易にするノブを備えた薄いコードであってもよい。別法として、リンク・システムは、２つのエレメントを一体にする際に湾曲する弾性シート・エレメントを有していてもよい。
【図面の簡単な説明】
【００１８】
【図１】第１の状態にある本発明の吊下げデバイスの側面図である。
【図２】図１に示す吊下げデバイスを斜め下から見た斜視図である。
【図３】第２の状態にある本発明の吊下げデバイスの側面図である。
【図４】図３に示す吊下げデバイスを斜め下から見た斜視図である。
【図５ａ】本発明による吊下げデバイスの代替実施例を使用した、エレメントの吊り下げ方法の一例を示す図である。
【図５ｂ】本発明による吊下げデバイスの代替実施例を使用した、エレメントの吊り下げ方法の一例を示す他の図である。
【図１】
2007501497.tif 000003
【図２】
2007501497.tif 000004
【図３】
2007501497.tif 000005
【図４】
2007501497.tif 000006
【図５ａ】
2007501497.tif 000007
【図５ｂ】
2007501497.tif 000008
【国際調査報告】
2007501497.tif 000009
2007501497.tif 000010